(57)【要約】      （修正有）【課題】見栄えが優れ、故人の供養にもなり、絵付けや彫刻でなく、花などの植物素材そのもので装飾された骨壷を提供する。【解決手段】骨壷の蓋２の外表面に、薄いシート状になった植物素材としての押し花５を、半永久的に保存できるように合成樹脂４で包埋し、骨壷１の装飾とする。該装飾は、骨壷１の本体３に、あるいは蓋と本体の両方に施しても良い。また、合成樹脂４には、公知の各種合成樹脂、例えば、液状エポキシ樹脂、液状アクリル樹脂などのほか、各種モノマー、例えば、エタクリレートモノマーやスチレンモノマーなどをＢＰＯなどの重合触媒と混合した樹脂組成物などが使用できる。【選択図】図３
0003153192.tif 000002
【実用新案登録請求の範囲】
【請求項１】
骨壷の外表面に合成樹脂で包埋された植物素材による装飾が施されたことを特徴とする骨壷。
【請求項２】
植物素材は押し花であることを特徴とする請求項１に記載の骨壷。
【請求項３】
骨壷は陶磁器製であることを特徴とする請求項１もしくは２に記載の骨壷。
【請求項４】
骨壷は釉薬が施された陶磁器製であることを特徴とする請求項３に記載の骨壷。
【考案の詳細な説明】
【技術分野】
【０００１】
本考案は骨壷に関し、特に骨壷の装飾に関するものである。
【背景技術】
【０００２】
骨壷は無垢の陶磁器製の壷が用いられるのが一般的であったが、近年装飾を施した壷が用いられることも多くなってきた。また、故人の出棺前に、遺体に花を添えることも多く行われるが、この場合は火葬に付すまでの一時的なものである。しかし、骨壷を花で直接装飾できれば、見栄えが優れるものとなるだけでなく、納骨後も長年に亘り遺骨に花を添えることとなり、故人の供養に供することができる。
【０００３】
骨壷の装飾については、これまでに、骨壷に文字、符号、模様、図形、絵などをサンドブラスト加工やレーザー加工により彫刻を施したもの（特許文献１参照）や、治められた遺骨に関する情報である故人の写真や名前や没年などの情報を表示すること（特許文献２参照）が提案されている。
【０００４】
しかし、骨壷はお墓や納骨堂に永久もしくは非常に長期間収納されることが前提であり、陶磁器製の壷が主に用いられ、骨壷の装飾も長期間に亘って保持されることが必要であり、装飾の内容は限定され、長期間の保存ができない花などの植物素材で直接装飾することは考えられていなかった。一方、散骨のために一時的に遺骨などを収納する散骨用具では、遺骨を収納してから、海などに散骨するまでの一時的な収納期間であり、保存期間はお墓や納骨堂と比べて短いために、ドライフラワーやプリザーブドフラワーなど、ある程度の期間は保存が可能な植物素材で装飾することが提案されている（特許文献３参照）。しかし、お墓や納骨堂に収納される骨壷では、前述の通り永久ないしは長期間収納されるため、このような植物素材による装飾は考えられていなかった。
【先行技術文献】
【特許文献】
【０００５】
【特許文献１】実用新案登録第３１４９１３４号公報
【特許文献２】実用新案登録第３１１５４４９号公報
【特許文献３】特開２００１−１７８７８７号公報
【考案の概要】
【考案が解決しようとする課題】
【０００６】
本考案の課題は、見栄えが優れ、故人の供養にもなり、絵付けや彫刻でなく、花などの植物素材そのもので装飾された骨壷を提供することである。
【課題を解決するための手段】
【０００７】
本考案者は種々検討の結果、長期間保存可能で、植物素材そのものにて装飾された骨壷として、骨壷の外表面に合成樹脂で包埋された植物素材による装飾が施されたことを特徴とする骨壷を考案した。
【０００８】
この植物素材は押し花であり、また骨壷は陶磁器製であることが好ましく、さらには釉薬が施された陶磁器製であることが好ましい。
【考案の効果】
【０００９】
本考案の骨壷は、元来は長期間の保存ができない植物素材を合成樹脂で包埋することで、押し花などの植物素材をほぼ永久的に保存できる装飾とすることができる。そのため、出棺に際して遺体に花を添えると同じように、故人の遺骨に押し花などの植物素材を添えることができる。そして、装飾は絵付けや彫刻などではなく、押し花などの植物素材そのもので装飾することができ、見栄えの優れた装飾が施された骨壷となるばかりでなく、故人ゆかりの花などで、骨壷を飾ることもでき故人の供養にもなるものである。そして、骨壷が素焼きの陶器でなく、釉薬の施された陶磁器である場合にはさらに優れた装飾がなされた骨壷となる。
【図面の簡単な説明】
【００１０】
【図１】本考案の骨壷の上面図である。
【図２】本考案の骨壷の側面図である。
【図３】本考案の骨壷の斜視図である。
【考案を実施するための形態】
【００１１】
本考案の骨壷を図１〜３に示す。図１は骨壷１の上面図であり、骨壷の蓋２の外表面には植物素材としての押し花５が合成樹脂４で包埋され、骨壷１の装飾となっている。図２は骨壷１の側面図であり、図３は斜視図である。ここでは、押し花５が合成樹脂４で包埋された装飾を蓋２の外表面に施したが、骨壷１の本体３の外表面に施してもよいし、両方に装飾してもよい。
【００１２】
また、ここでは植物素材として押し花を用いたが、押し花は、花や植物体を新聞紙や和紙で挟み、圧力をかけて押しつぶし乾燥させて作られ、薄いシート状の形状とすることができるので、骨壷の装飾用には好ましいものである。植物素材としては、押し花以外でも使用可能であるが、生花やドライフラワーなどを使用する場合には、装飾図柄が厚く盛り上がった装飾となることを避けて、骨壷の装飾として合成樹脂で包埋するためには、小さな草花や葉などが好ましい。押し花であれば薄くできるので比較的大きいものでも使用可能である。
【００１３】
押し花は、生花や草花を新聞紙や和紙で挟みこみ、その上に重しを載せて圧搾しながら乾燥させる通常の押し花の制作方法により作成することができる。この場合に紙に乾燥剤を含浸させた押し花作成用の専用用紙を用いることもできる。
【００１４】
このようにして作成された押し花５を、図で示したように骨壷の蓋２の外表面や、本体３の外表面に配置し、その上を合成樹脂４にて図で示すように包埋し、装飾図柄とする。
【００１５】
押し花を包埋するための合成樹脂は、公知の各種の合成樹脂を用いることができ、液状エポキシ樹脂、液状アクリル樹脂、液状ポリエステル樹脂などのほか、各種のモノマー例えばメタクリレートモノマー、アクリレートモノマー、スチレンモノマーなどを、ＢＰＯなどの重合触媒と混合した樹脂組成物や、紫外線硬化樹脂とした樹脂組成物などを用いて押し花を合成樹脂で包埋することができる。
【００１６】
これらの合成樹脂は、硬化させる前は液状ないしは餅状であるが、重合触媒と混合して常温で硬化させたり、加温や紫外線の照射により硬化させたりすることで固体化することができる。したがって、骨壷の外表面に配置した押し花５の上をこれらの合成樹脂で覆い、必要により脱泡を行ったあと、硬化させることにより、押し花５を合成樹脂４で包埋し、骨壷に固着することができる。
【００１７】
このようにして、合成樹脂で包埋された押し花などの植物素材は、外気と完全に遮断され、空気中の酸素や湿気による影響を受ないため、ほぼ永久的に保存することが可能である。したがって、ドライフラワーやプリザーブドフラワーと比較しても保存性は格段に優れ、骨壷の装飾として用いることができ、優れた装飾を与えるものとなる。
【産業上の利用可能性】
【００１８】
本考案は葬祭用具分野において、優れた装飾を持ち、故人の供養にも役立つ骨壷として有用なものである。
【符号の説明】
【００１９】
１  骨壷
２  蓋
３  本体
４  合成樹脂
５  押し花
【図１】
0003153192.tif 000003
【図２】
0003153192.tif 000004
【図３】
0003153192.tif 000005